(57)【特許請求の範囲】
【請求項１】
遊技球が流下可能な遊技領域を区画するレールが設けられ、前記遊技領域内を流下する遊技球の方向を変更する複数の遊技釘が設けられ、樹脂材料の射出成形によって略矩形板状に形成された遊技盤本体と、前記遊技盤本体の背面に重ねて配置され、前記遊技盤本体と略同じ外形を有する枠状の裏ユニット板とを備える遊技盤が、機体を構成する枠部材に取り付けられた遊技機であって、
前記裏ユニット板の下辺部の角部には、機種識別部材装着凹部が切欠形成され、
前記機種識別部材装着凹部には、前記遊技盤本体及び前記裏ユニット板とは別体で作製されその外周部に第１識別部を有する機種識別部材が前記遊技盤本体の辺から平面方向に突出しないように配置されるとともに、前記機種識別部材は、前記遊技盤本体と前記裏ユニット板との間に少なくとも一部が挟み込まれた状態で固定され、
前記枠部材において遊技盤取付時に前記機種識別部材と近接する箇所には、前記第１識別部に合った形状の第２識別部を有する受け部が設けられている
ことを特徴とする遊技機。
【請求項２】
前記第１識別部は、前記機種識別部材の外周部の複数箇所に設けられた識別凹部であり、前記第２識別部は、前記受け部の外周部の複数箇所に設けられた識別凸部であり、
前記識別凹部の内面に前記識別凸部の外面が面接触することにより、前記第１識別部と前記第２識別部とが互いに係合可能となる
ことを特徴とする請求項１に記載の遊技機。
【請求項３】
前記機種識別部材には、前記遊技盤本体側の第１被係合部と係脱可能に係合する第１係合部と、前記第１係合部とは異なる形状を有し、前記裏ユニット板側の第２被係合部と係脱可能に係合する第２係合部とが設けられていることを特徴とする請求項１または２に記載の遊技機。
【請求項４】
前記機種識別部材に、前記裏ユニット板側の面において開口する複数の肉抜き凹部が設けられ、
前記第２係合部の少なくとも１つは、前記肉抜き凹部の底部に突設されたネジ孔を有するボス部であり、
前記第２被係合部は、前記機種識別部材装着凹部側に突出し、ネジ挿通孔と、前記ボス部を外周面から覆う筒部とを有する突出片であり、
前記遊技盤本体と前記裏ユニット板とで前記機種識別部材の少なくとも一部を挟み込んだ状態で、前記ネジ挿通孔にネジを挿通し、挿通したネジを前記ネジ孔に螺着させることにより、前記機種識別部材が前記遊技盤に固定される
ことを特徴とする請求項３に記載の遊技機。
【請求項５】
前記第２係合部の少なくとも１つは、前記機種識別部材の外周縁に突設された係止爪であり、
前記遊技盤本体と前記裏ユニット板とで前記機種識別部材の少なくとも一部を挟み込んだ状態で、前記係止爪を前記第２被係合部に係止させることにより、前記機種識別部材が前記遊技盤に固定され、
前記第２被係合部に対する前記係止爪の挿入方向が、前記ネジ孔に対する前記ネジの挿入方向とは反対方向になっている
ことを特徴とする請求項４に記載の遊技機。
【請求項６】
前記第１係合部の少なくとも１つは、前記遊技盤本体側の面に突設された位置決めピンであり、
前記第１被係合部は、前記遊技盤本体に設けられた位置決め孔であり、
前記遊技盤本体と前記裏ユニット板とで前記機種識別部材の少なくとも一部を挟み込んだ状態で、前記位置決め孔に前記位置決めピンを挿入させることにより、前記機種識別部材が前記遊技盤に固定される
ことを特徴とする請求項３乃至５のいずれか１項に記載の遊技機。
【請求項７】
遊技機の機種が複数ある場合に、機種ごとに前記第１識別部の形状が異なる複数種類の機種識別部材を準備しておくことを特徴とする請求項１乃至６のいずれか１項に記載の遊技機。
【請求項８】
前記遊技盤本体が、無色透明の樹脂材料によって形成されるとともに、
前記複数種類の機種識別部材が、互いに異なる色であって前記裏ユニット板とは異なる色に着色された樹脂材料によって形成されている
ことを特徴とする請求項７に記載の遊技機。
【発明の詳細な説明】
【技術分野】
【０００１】
本発明は、機体を構成する枠部材に遊技盤が取り付けられた遊技機に関するものである。
【背景技術】
【０００２】
一般に、パチンコ機等に代表される遊技機は、機体を構成する枠部材と、該枠部材に取り付けられた遊技盤とを備えている。なお、枠部材や遊技盤の仕様は、遊技機の機種ごとに異なっているため、特定機種の遊技機の遊技盤を他機種の遊技機の枠部材に取り付けると、遊技機が正常に動作しない、想定していない機能が付加される、などの不具合が生じてしまう。そこで、遊技盤の下辺部の形状を枠部材の形状に合わせて変更することにより、特定機種の遊技機の遊技盤を、特定機種の遊技機の枠部材のみに対して取付可能とし、他機種の遊技機の枠部材に対しては取付不能とする技術が提案されている。具体的に言うと、遊技盤取付孔の内側に突出する突状部材を枠部材に形成するとともに、突状部材が嵌合する凹部を遊技盤の下辺部に形成する技術や、それとは逆に、嵌合凹部を枠部材に形成するとともに、嵌合凹部に嵌合する嵌合凸部を遊技盤の下辺部に形成する技術（例えば特許文献１参照）などが提案されている。このようにすれば、特定機種の遊技機の遊技盤が他機種の遊技機の枠部材に取り付けられることで生ずる上記の不具合を未然に防止することができる。
【特許文献１】特開平５−１８４７１７号公報（図５，図６など）
【発明の開示】
【発明が解決しようとする課題】
【０００３】
なお、従来の遊技盤は、加工が容易な合板（ベニヤ）によって形成されているため、遊技盤の下辺部の形状を枠部材の形状に合わせて変更する作業を、ルータ加工などによって簡単に行うことができる。ところが近年、アクリル樹脂の射出成形によって形成された透明板と、透明板の背面に重ねて配置された合成樹脂製の裏ユニット板とからなる遊技盤が提案されている。この場合、透明板や裏ユニット板の形状を枠部材の形状に合わせようとすれば、透明板や裏ユニット板を成形するための金型を機種ごとに準備しなければならないため、製造コストが増加してしまう。
【０００４】
本発明は上記の課題に鑑みてなされたものであり、その目的は、樹脂材料の射出成形によって形成される遊技盤を、特定機種の遊技機の枠部材のみに対して取付可能とし、他機種の遊技機の枠部材に対しては取付不能とする構造を低コストで得ることができる遊技機を提供することにある。
【課題を解決するための手段】
【０００５】
上記の課題を解決するために、請求項１に記載の発明は、遊技球が流下可能な遊技領域を区画するレールが設けられ、前記遊技領域内を流下する遊技球の方向を変更する複数の遊技釘が設けられ、樹脂材料の射出成形によって略矩形板状に形成された遊技盤本体と、前記遊技盤本体の背面に重ねて配置され、前記遊技盤本体と略同じ外形を有する枠状の裏ユニット板とを備える遊技盤が、機体を構成する枠部材に取り付けられた遊技機であって、前記裏ユニット板の下辺部の角部には、機種識別部材装着凹部が切欠形成され、前記機種識別部材装着凹部には、前記遊技盤本体及び前記裏ユニット板とは別体で作製されその外周部に第１識別部を有する機種識別部材が前記遊技盤本体の辺から平面方向に突出しないように配置されるとともに、前記機種識別部材は、前記遊技盤本体と前記裏ユニット板との間に少なくとも一部が挟み込まれた状態で固定され、前記枠部材において遊技盤取付時に前記機種識別部材と近接する箇所には、前記第１識別部に合った形状の第２識別部を有する受け部が設けられていることを特徴とする遊技機をその要旨とする。
【０００６】
従って、請求項１に記載の発明では、遊技機の機種が複数ある場合に、機種ごとに前記第１識別部の形状が異なる複数種類の機種識別部材を準備しておく（請求項７）と、遊技機の機種に合った機種識別部材を裏ユニット板に装着した場合のみに、第１識別部の形状が枠部材側の第２識別部の形状と一致するため、遊技盤の枠部材への取り付けが可能となる。しかも、機種識別部材の装着に伴って遊技盤本体を機種ごとに共通のものとすることができるため、請求項１に記載の発明のように遊技盤本体が樹脂材料の射出成形によって形成される場合に、遊技盤本体を形成するための金型を機種ごとに準備しなくても済む。よって、特定機種の遊技機の枠部材のみに対して遊技盤を取付可能とし、他機種の遊技機の枠部材に対しては遊技盤を取付不能とする構造を低コストで得ることができる。
【０００７】
なお、遊技盤本体は、着色された樹脂材料によって形成されていてもよいし、無色透明の樹脂材料によって形成されていてもよい。仮に、遊技盤本体を着色された樹脂材料によって形成すれば、遊技盤本体を装飾部材として用いることができる。一方、遊技盤本体を無色透明の樹脂材料によって形成すれば、裏ユニット板に図柄表示装置を取り付けた際に、図柄表示装置の表示画面が遊技盤本体を介して視認可能となる。なお、遊技機の機種が複数ある場合に、機種ごとに複数種類の機種識別部材を準備した場合、前記遊技盤本体が、無色透明の樹脂材料によって形成されるとともに、前記複数種類の機種識別部材が、互いに異なる色であって前記裏ユニット板とは異なる色に着色された樹脂材料によって形成されていること（請求項８）が好ましい。このようにすれば、機種識別部材の色を確認することによって遊技機の機種を認識できるため、遊技盤を誤って他機種の遊技機の枠部材に取り付けてしまう可能性を小さくすることができる。また、遊技盤本体が無色透明であって裏ユニット板が機種識別部材とは異なる色に着色されているため、遊技盤に装着されている機種識別部材の色を確認しやすくなる。
【０００８】
また、機種識別部材を形成する材料としては特に限定されないが、例えば樹脂材料や金属材料を挙げることができる。なお、機種識別部材を樹脂材料の射出成形によって形成するようにすれば、機種識別部材を容易に形成することができる。機種識別部材を形成するための樹脂材料の具体例としては、例えば、ポリテトラフルオロエチレン（ＰＴＦＥ）のようなフッ素系樹脂材料などが挙げられる。また、機種識別部材を形成する金属材料としては、例えば、アルミニウムや鉄などが挙げられる。
【０００９】
なお、機種識別部材の第１識別部は、遊技盤の枠部材への取り付けが可能となる際に、枠部材に設けられた受け部の第２識別部に一致する形状であることがよい。このようにすれば、遊技盤を枠部材に取り付けた際に、遊技盤が他機種の遊技機の枠部材に誤って取り付けられていないかを確実に判断することができる。ここで、第１識別部の形状としては、凹部を有する形状や凸部を有する形状などが挙げられる。また、機種識別部材の外周部において第１識別部を除く部分は、前記機種識別部材装着凹部の内面に面接触する形状をなしていることが好ましい。このようにすれば、機種識別部材のガタツキを防止することができ、機種識別部材の固定強度が向上する。
【００１０】
請求項２に記載の発明は、請求項１において、前記第１識別部は、前記機種識別部材の外周部の複数箇所に設けられた識別凹部であり、前記第２識別部は、前記受け部の外周部の複数箇所に設けられた識別凸部であり、前記識別凹部の内面に前記識別凸部の外面が面接触することにより、前記第１識別部と前記第２識別部とが互いに係合可能となることをその要旨とする。
【００１１】
従って、請求項２に記載の発明によると、識別凹部の内面に識別凸部の外面が面接触し、しかも識別凹部及び識別凸部が複数設けられるため、第１識別部と第２識別部とを係合した際のガタツキが小さくなる。従って、第１識別部と第２識別部とを互いに係合させれば、遊技機の機種に合った遊技盤が枠部材に取り付けられたか否かを確実に識別することができる。即ち、ガタツキがない場合に、遊技機の機種にあった遊技盤が枠部材に取り付けられていると識別することができる。
【００１２】
請求項３に記載の発明は、請求項１または２において、前記機種識別部材には、前記遊技盤本体側の第１被係合部と係脱可能に係合する第１係合部と、前記第１係合部とは異なる形状を有し、前記裏ユニット板側の第２被係合部と係脱可能に係合する第２係合部とが設けられていることをその要旨とする。
【００１３】
従って、請求項３に記載の発明によると、機種識別部材が、遊技盤本体と裏ユニット板との間に少なくとも一部が挟み込まれた状態で固定される際に、係合部を遊技盤本体側及び裏ユニット板側の両方に係合させることができる。これにより、機種識別部材と遊技盤との係合箇所が多くなるため、機種識別部材を遊技盤から取り外すことが困難になり、遊技盤を他機種の遊技機の枠部材に取り付けてしまう可能性がよりいっそう小さくなる。また、係合部が遊技盤本体側及び裏ユニット板側のいずれか一方のみに係合する場合に比べて、機種識別部材の固定強度が向上する。しかも、第１係合部及び第２係合部が互いに異なる形状を有しているため、機種識別部材の固定構造を複雑にすることができる。よって、機種識別部材を遊技盤から取り外すことがよりいっそう困難になる。
【００１４】
なお、第１係合部及び第２係合部は、従来公知の様々な構造を適用することが可能である。第１係合部及び第２係合部は、機種識別部材において１個のみ設けられてもよいし、複数個設けられてもよいが、複数個設けられることが好ましい。このようにすれば、機種識別部材が複数の係合部によって枠部材に固定されるため、機種識別部材を強固に取り付けることができる。さらに、第１係合部や第２係合部が複数個設けられている場合、各係合部を互いに離間して配置すれば、機種識別部材のガタツキを確実に防止することができる。なお、第１被係合部及び第２被係合部も、従来公知の様々な構造を適用することが可能である。
【００１５】
請求項４に記載の発明は、請求項３において、前記機種識別部材に、前記裏ユニット板側の面において開口する複数の肉抜き凹部が設けられ、前記第２係合部の少なくとも１つは、前記肉抜き凹部の底部に突設されたネジ孔を有するボス部であり、前記第２被係合部は、前記機種識別部材装着凹部側に突出し、ネジ挿通孔と、前記ボス部を外周面から覆う筒部とを有する突出片であり、前記遊技盤本体と前記裏ユニット板とで前記機種識別部材の少なくとも一部を挟み込んだ状態で、前記ネジ挿通孔にネジを挿通し、挿通したネジを前記ネジ孔に螺着させることにより、前記機種識別部材が前記遊技盤に固定されることをその要旨とする。
【００１６】
従って、請求項４に記載の発明によると、機種識別部材に設けられた肉抜き凹部の底部にボス部が突設され、裏ユニット板側に設けられた突出片の筒部によってボス部が覆われているため、機種識別部材の固定構造が複雑である。よって、単にボス部のネジ孔に螺着されているネジを取り外しただけでは、機種識別部材を遊技盤から取り外すことができないため、遊技盤を他機種の遊技機の枠部材に取り付けてしまう可能性がよりいっそう小さくなる。また、ネジがネジ孔に螺着するだけでなく、突出片の筒部がボス部に係合することによって機種識別部材が固定されるため、機種識別部材の固定強度がよりいっそう向上する。さらに、機種識別部材に複数の肉抜き凹部が設けられているため、機種識別部材でのヒケの発生を防止することができる。しかも、肉抜き凹部を設けることで材料が削減されるため、機種識別部材を低コストで製造することができる。
【００１７】
請求項５に記載の発明は、請求項４において、前記第２係合部の少なくとも１つは、前記機種識別部材の外周縁に突設された係止爪であり、前記遊技盤本体と前記裏ユニット板とで前記機種識別部材の少なくとも一部を挟み込んだ状態で、前記係止爪を前記第２被係合部に係止させることにより、前記機種識別部材が前記遊技盤に固定され、前記第２被係合部に対する前記係止爪の挿入方向が、前記ネジ孔に対する前記ネジの挿入方向とは反対方向になっていることをその要旨とする。
【００１８】
従って、請求項５に記載の発明によると、第２被係合部に対する係止爪の挿入方向が、ネジ孔に対するネジの挿入方向とは反対方向になっているため、機種識別部材の固定構造が複雑である。よって、単にボス部のネジ孔に螺着されているネジを取り外しただけでは、機種識別部材を遊技盤から取り外すことができないため、遊技盤を他機種の遊技機の枠部材に取り付けてしまう可能性がよりいっそう小さくなる。また、係止爪の挿入方向と同じ方向に外力が作用した場合であっても、ネジの挿入方向と同じ方向に外力が作用した場合であっても、機種識別部材のガタツキが防止されるため、機種識別部材の固定強度がよりいっそう向上する。
【００１９】
請求項６に記載の発明は、請求項３乃至５のいずれか１項において、前記第１係合部の少なくとも１つは、前記遊技盤本体側の面に突設された位置決めピンであり、前記第１被係合部は、前記遊技盤本体に設けられた位置決め孔であり、前記遊技盤本体と前記裏ユニット板とで前記機種識別部材の少なくとも一部を挟み込んだ状態で、前記位置決め孔に前記位置決めピンを挿入させることにより、前記機種識別部材が前記遊技盤に固定されることをその要旨とする。
【００２０】
従って、請求項６に記載の発明によると、第１係合部の形状に合わせて第１被係合部を単純な形状とすることができるため、第１被係合部の形成において遊技盤本体の形成に用いられる金型の形状を大きく変えなくても済む。よって、第１被係合部を設けたとしても、遊技盤本体を低コストで形成することができる。
【発明の効果】
【００２１】
以上詳述したように、請求項１〜８に記載の発明によれば、樹脂材料の射出成形によって形成される遊技盤を、特定機種の遊技機の枠部材のみに対して取付可能とし、他機種の遊技機の枠部材に対しては取付不能とする構造を低コストで得ることができる遊技機を提供することができる。特に、請求項３によれば、機種識別部材と遊技盤との係合箇所が多くなるため、機種識別部材を遊技盤から取り外すことが困難になり、遊技盤を他機種の遊技機の枠部材に取り付けてしまう可能性がよりいっそう小さくなる。
【発明を実施するための最良の形態】
【００２２】
以下、本発明の遊技機をパチンコ機１０に具体化した一実施形態を図面に基づき説明する。
（１）パチンコ機１０全体の概略構成
【００２３】
図１には、パチンコ機１０の機表側が略示されている。このパチンコ機１０は機体の外郭をなす縦長方形状の外枠１１を備えている。外枠１１の開口前面側には、機体を構成する『枠部材』である縦長方形状の中枠１２が、開閉及び着脱自在に組み付けられている。また、中枠１２の前面側には、機内部に配置された遊技盤１３を透視保護するためのガラス枠を備えた前枠１４が、横開き状態で開閉可能に組み付けられている。なお、前枠１４の下部には、上球皿１５が一体的に組み付けられている。さらに、中枠１２の前面側において前枠１４の下方には、下球皿１６が開閉可能に組み付けられている。
（２）中枠１２の概略構成
【００２４】
図２，図３等に示されるように、中枠１２は、上辺部２１、下辺部２２、左辺部２３及び右辺部２４によって外枠１１の開口前面と略同じ外形に形成されている。そして、各辺部２１〜２４によって、遊技盤１３を取り付けるための遊技盤取付孔２５が構成されている。なお、下辺部２２には、スピーカ１７、打球発射装置１８、操作ハンドル１９及び灰皿２０等が装着されている。また、左辺部２３には、遊技盤１３の左側端部を回転及び着脱可能に保持する２個の回転保持具２６が上下に離間した状態に設けられている。上辺部２１及び下辺部２２における右端部には、遊技盤１３を位置決め固定するための係止保持部２７がそれぞれ設けられている。
【００２５】
図２，図４に示されるように、中枠１２において下辺部２２と左辺部２３との接続部分には、遊技盤１３を下方から支持するための受け部３１がブロック状に形成されている。受け部３１の外周部（右上部）の２箇所には、『第２識別部』である識別凸部３２，３３が設けられている。識別凸部３２は、下辺部２２と左辺部２３との接続部分に設けられ、識別凸部３３は、左辺部２３において識別凸部３２の右側に設けられている。また、識別凸部３２の高さは、識別凸部３３の高さの１１倍程度に設定されている。従って、受け部３１は、正面視で階段状に形成される。
（３）遊技盤１３の構成
【００２６】
図５〜図７等に示されるように、遊技盤１３は、『遊技盤本体』である透明板４１と、透明板４１の背面に重ねて配置された裏ユニット板５１とを備えている。透明板４１及び裏ユニット板５１は、複数のネジ（図示略）によって互いに固定されている。透明板４１は、無色透明の樹脂材料（例えばアクリル等）の射出成形によって略矩形板状に形成されている。一方、裏ユニット板５１は、透明板４１と略同じ外形を有し、黒色に着色された樹脂材料（例えばＡＢＳ樹脂等）の射出成形によって略矩形枠状に形成されている。
（３−１）透明板４１の構成
【００２７】
透明板４１の前面４１ａには、遊技球が流下可能な遊技領域４２を区画する内レール４３ａ及び外レール４３ｂが略円形状に敷設されている。内レール４３ａと外レール４３ｂとの間に生じる発射経路には、前記操作ハンドル１９を操作した際に前記打球発射装置１８によって発射された遊技球が通過するようになっている。そして、発射経路を通過した遊技球は、発射経路の終端部から遊技領域４２に進入し、遊技領域４２内を流下するようになっている。また、遊技領域４２内には複数の風車４４が配設され、遊技領域４２のほぼ全域には複数の遊技釘４５が植設されている。風車４４及び遊技釘４５は、遊技領域４２内を流下する遊技球の方向を変更するようになっている。
【００２８】
図１，図３，図５に示されるように、遊技盤１３の遊技領域４２の下部中央部には、始動入賞口６１ａが形成された始動入賞装置６１が配設されている。なお、始動入賞装置６１への遊技球の入賞を契機として後述する図柄表示装置７１による図柄変動ゲームが開始されると、所定数（本実施形態では３個）の賞球の払い出しが行われるようになっている。
【００２９】
また、始動入賞装置６１の下方には、図示しないソレノイドにより開閉動作を行う開閉扉を備えた大入賞装置６２が配置されている。大入賞装置６２では、大入賞口への遊技球の入賞を契機として、所定数（本実施形態では１５個）の賞球の払い出しが行われるようになっている。なお、遊技領域４２の最下部（前記内レール４３ａの下端部）には、いずれの入賞口（始動入賞装置６１及び大入賞装置６２など）にも入賞しなかった遊技球を回収するためのアウト口６３が配置されている。また、遊技領域４２の左側部には、遊技球の通過を検知する機能を有するゲート６４が一体的に設けられている。ゲート６４は、上下方向に開口しており、遊技領域４２内を流下する遊技球が上方から通過可能になっている。
（３−２）裏ユニット板５１の構成
【００３０】
図６に示されるように、裏ユニット板５１には、複数種類の図柄を変動表示して図柄変動ゲームを行う図柄表示装置７１が着脱可能に配設されている。図柄表示装置７１を構成する収容ケース７２には、各種図柄を表示可能な液晶パネル（図示略）が収容されている。収容ケース７２の背面には、液晶パネルの表示を制御する表示制御装置（図示略）や、液晶パネルのバックライトを制御するインバータ装置（図示略）が配置されるようになっている。
【００３１】
図６，図７に示されるように、裏ユニット板５１の略中央部には、略矩形状の可視表示部５２が設けられている。可視表示部５２は、図柄表示装置７１の表示画面と同じ大きさとなっている。よって、図柄表示装置７１の表示画面は、可視表示部５２を介して前記透明板４１の前面４１ａ側から視認可能となる。なお本実施形態では、裏ユニット板５１において可視表示部５２よりも上側の部位を上枠部５３とし、裏ユニット板５１において可視表示部５２よりも下側の部位を下枠部５４とする。さらに、裏ユニット板５１において可視表示部５２の左側の部位（図６，図７では右側の部位）を左枠部５５とし、裏ユニット板５１において可視表示部５２の右側の部位（図６，図７では左側の部位）を右枠部５６とする。
【００３２】
図６，図７に示されるように、裏ユニット板５１には、前側規制部、後側規制部、上側規制部、下側規制部及び側部規制部が設けられている。前側規制部は、図柄表示装置７１の前面に当接して図柄表示装置７１の前方移動を規制する基板カバー８１である。後側規制部は、図柄表示装置７１の背面７３に当接して図柄表示装置７１の後方移動を規制するロック部材８２である。上側規制部は、図柄表示装置７１の上面７４に当接して図柄表示装置７１の上方移動を規制する台座部材８３である。下側規制部は、図柄表示装置７１の下面に当接して図柄表示装置７１の下方移動を規制する設置部材８４である。側部規制部は、図柄表示装置７１の側面７５に当接して図柄表示装置７１の側方移動を規制する規制壁８５である。
【００３３】
図６〜図１０に示されるように、裏ユニット板５１の下辺部の角部（具体的には、前記下枠部５４と前記左枠部５５との接続部分）には、機種識別部材装着凹部９１が切欠形成されている。機種識別部材装着凹部９１の内側面は、下枠部５４側に位置する第１面９６と、左枠部５５側に位置する第２面９７と、第１面９６及び第２面９７の接続部分に位置する斜面９８とからなっている（図８（ｂ）参照）。また、裏ユニット板５１には、下枠部５４から機種識別部材装着凹部９１内に突出する『第２被係合部』である突出片９２が設けられている。突出片９２の先端部には、前記透明板４１側に突出する筒部９３と、突出片９２を厚さ方向に貫通して一端が筒部９３内にて開口するネジ挿通孔９４とが設けられている。さらに、左枠部５５における機種識別部材装着凹部９１の近傍には、『第２被係合部』である矩形状の係合孔９５が設けられている。
（３−３）機種識別部材１０１の構成
【００３４】
図６〜図１１に示されるように、機種識別部材装着凹部９１には、透明板４１及び裏ユニット板５１とは別体で作製された機種識別部材１０１が配置されている。機種識別部材１０１は、透明板４１の辺から平面方向に突出しないように配置されている。また、機種識別部材１０１は、前記遊技盤１３を前記中枠１２に取り付ける際に前記受け部３１と近接する箇所に配置されている。
【００３５】
なお、機種識別部材１０１は、裏ユニット板５１とは異なる色（青色）に着色された樹脂材料（例えばＡＢＳ樹脂等）の射出成形によって形成されている。機種識別部材１０１の外周部において機種識別部材装着凹部９１の内側面（前記第１面９６、前記第２面９７及び前記斜面９８）と向かい合う部分は、装着部１０２となっている。さらに、装着部１０２において機種識別部材装着凹部９１の斜面９８と向かい合う箇所には、面取り部１０３が設けられている。面取り部１０３の長さは、斜面９８の長さと等しくなっている。これにより、機種識別部材１０１は、機種識別部材装着凹部９１の内側面に面接触するようになっている（図８（ａ）参照）。
【００３６】
図８〜図１１に示されるように、機種識別部材１０１の外周部において装着部１０２とは反対側の箇所には、『第１識別部』である２個の識別凹部１１１，１１２が設けられている。識別凹部１１１は、前記受け部３１の前記識別凸部３２に一致する形状であるため、識別凹部１１１の内面に識別凸部３２の外面が面接触可能となっている（図４参照）。また、識別凹部１１２は、受け部３１の前記識別凸部３３に一致する形状であるため、識別凹部１１２の内面に識別凸部３３の外面が面接触可能となっている（図４参照）。その結果、識別凹部１１１と識別凸部３２とが互いに係合可能となるとともに、識別凹部１１２と識別凸部３３とが互いに係合可能となるため、遊技盤１３の中枠１２への取り付けが可能となる。
【００３７】
また図９〜図１１に示されるように、機種識別部材１０１の前記透明板４１側の面における略中央には、『第１係合部』である位置決めピン１２１が突設されている。位置決めピン１２１は、透明板４１に設けられた『第１被係合部』である位置決め孔４６に係合するようになっている。
【００３８】
図８〜図１１等に示されるように、機種識別部材１０１には、前記裏ユニット板５１側の面において開口する複数の肉抜き凹部１３１が設けられている。各肉抜き凹部１３１の深さは、前記突出片９２の前記筒部９３の突出量と等しくなっている。そして、各肉抜き凹部１３１のうちの１つの肉抜き凹部１３１の底部には、『第２係合部』である略円筒状のボス部１３２が突設されている。ボス部１３２は、機種識別部材１０１において位置決めピン１２１から離間して配置されており、位置決めピン１２１とは異なる形状を有している。ボス部１３２は、円形状のネジ孔１３３を有している。ボス部１３２の突出量は各肉抜き凹部１３１の深さと等しくなっており、ボス部１３２の外径は筒部９３の内径よりも小さくなっている。そして、ボス部１３２の外周面は、筒部９３によって覆われている。よって、機種識別部材１０１は、透明板４１と前記裏ユニット板５１とで機種識別部材１０１の一部（前記装着部１０２）を挟み込んだ状態で、前記ネジ挿通孔９４に挿通したネジをネジ孔１３３に螺着させることにより、遊技盤１３に固定される。
【００３９】
図１０，図１１等に示されるように、機種識別部材１０１の外周縁には、『第２係合部』である係止爪１４１が突設されている。係止爪１４１は、機種識別部材１０１において位置決めピン１２１及びボス部１３２から離間して配置されており、位置決めピン１２１及びボス部１３２とは異なる形状を有している。係止爪１４１は、機種識別部材１０１の外周面から垂直方向に延びる突出部１４２と、同突出部１４２の先端から裏ユニット板５１側に延びる係止片１４３とを備えている。係止片１４３の幅は、前記係合孔９５の長辺の長さと略等しくなっており、係止片１４３の厚さは、係合孔９５の短辺の長さと略等しくなっている。なお、係止片１４３は、透明板４１と裏ユニット板５１とで機種識別部材１０１の一部を挟み込んだ状態で係合孔９５内に挿入（係止）されるようになっている。なお、係合孔９５に対する係止爪１４１の挿入方向は、ネジ孔１３３に対するネジの挿入方向とは反対方向になっている。
【００４０】
なお本実施形態では、パチンコ機１０の機種として、受け部３１が中枠１２に設けられた機種Ａ（図２，図４等参照）と、受け部３１とは形状が異なる受け部１５１が中枠１２に設けられた機種Ｂ（図１２，図１３参照）とが存在している。そして、機種識別部材１０１が装着された遊技盤１３（図５〜図８等参照）であれば、遊技盤１３を機種Ａの中枠１２に取り付けることができる。また、機種識別部材１０１とは形状が異なる機種識別部材１６１（図１３〜図１５参照）が装着された遊技盤１３ａ（図１４（ａ）参照）であれば、遊技盤１３ａを機種Ｂの中枠１２に取り付けることができる。なお、遊技盤１３，１３ａを構成する透明板４１及び裏ユニット板５１は、機種Ａと機種Ｂとで共通のものが使用されている。
【００４１】
図１３，図１４に示されるように、受け部１５１は、外周部（右上部）の２箇所に、『第２識別部』である識別凸部１５２，１５３を有している。識別凸部１５２の高さは、識別凸部１５３の高さの約２．７倍に設定されている。
【００４２】
また図１３〜図１５に示されるように、機種識別部材１６１は、機種識別部材１０１及び裏ユニット板５１とは異なる色（赤色）に着色された樹脂材料（例えばＡＢＳ樹脂等）の射出成形によって形成されている。機種識別部材１６１の外周部において装着部１０２とは反対側の箇所には、『第１識別部』である２個の識別凹部１６２，１６３が設けられている。識別凹部１６２は、受け部１５１の識別凸部１５２に一致する形状であるため、識別凹部１６２の内面に識別凸部１５２の外面が面接触可能となっている（図１３参照）。また、識別凹部１６３は、受け部１５１の識別凸部１５３に一致する形状であるため、識別凹部１６３の内面に識別凸部１５３の外面が面接触可能となっている（図１３参照）。その結果、識別凹部１６２と識別凸部１５２とが互いに係合可能となるとともに、識別凹部１６３と識別凸部１５３とが互いに係合可能となり、遊技盤１３を機種Ｂの中枠１２に取り付けることが可能となる。
【００４３】
次に、中枠１２に対する遊技盤１３，１３ａの取付方法を説明する。
【００４４】
まず、受け部３１が設けられた機種Ａの中枠１２（図２参照）に対して遊技盤１３を取り付ける場合について説明する。即ち、機種Ａ用の機種識別部材１０１の位置決めピン１２１を、透明板４１の位置決め孔４６に挿入することにより、機種識別部材１０１を位置決めする。次に、透明板４１の背面に裏ユニット板５１を重ねて配置し、機種識別部材１０１の一部（装着部１０２）を透明板４１及び裏ユニット板５１によって挟み込む。このとき、裏ユニット板５１側の突出片９２が有する筒部９３によって機種識別部材１０１に設けられたボス部１３２が覆われるとともに、裏ユニット板５１側の係合孔９５に機種識別部材１０１に設けられた係止爪１４１が挿入される。そして、突出片９２のネジ挿通孔９４にネジを挿通し、挿通したネジをボス部１３２のネジ孔１３３に螺着させれば、機種識別部材１０１が遊技盤１３に固定される（図８（ａ）参照）。
【００４５】
その後、機種Ａの中枠１２に対して上記の遊技盤１３を取り付けると、機種識別部材１０１が有する識別凹部１１１，１１２の内面に受け部３１が有する識別凸部３２，３３の外面がそれぞれ面接触する（図４参照）。その結果、識別凹部１１１と識別凸部３２とが互いに係合可能となるとともに、識別凹部１１２と識別凸部３３とが互いに係合可能となるため、上記の遊技盤１３を機種Ａの中枠１２に取り付けることが可能となる。なお図４では、説明の便宜上、遊技盤１３を構成する透明板４１及び裏ユニット板５１を表示せずに、機種識別部材１０１のみを表示している。
【００４６】
一方、受け部１５１が設けられた機種Ｂの中枠１２（図１２参照）に対して上記の遊技盤１３を取り付けようとしても、識別凹部１１２の内面に識別凸部１５３の外面が面接触するものの、識別凹部１１１の内面と識別凸部１５２の外面との間には空間が生じてしまう。よって、上記の遊技盤１３を機種Ｂの中枠１２に取り付けることは不可能である。
【００４７】
次に、受け部１５１が設けられた機種Ｂの中枠１２に対して遊技盤１３ａを取り付ける場合について説明する。即ち、機種Ｂ用の機種識別部材１６１の一部（装着部１０２）を透明板４１及び裏ユニット板５１によって挟み込む。そして、裏ユニット板５１側の突出片９２のネジ挿通孔９４にネジを挿通し、挿通したネジを機種識別部材１６１に設けられたボス部１３２のネジ孔１３３に螺着させれば、機種識別部材１６１が遊技盤１３ａに固定される（図１４（ａ）参照）。
【００４８】
その後、機種Ｂの中枠１２に対して上記の遊技盤１３ａを取り付けると、機種識別部材１６１が有する識別凹部１６２，１６３の内面に受け部１５１が有する識別凸部１５２，１５３の外面がそれぞれ面接触する（図１３参照）。その結果、識別凹部１６２と識別凸部１５２とが互いに係合可能となるとともに、識別凹部１６３と識別凸部１５３とが互いに係合可能となるため、上記の遊技盤１３ａを機種Ｂの中枠１２に取り付けることが可能となる。なお図１３では、説明の便宜上、遊技盤１３ａを構成する透明板４１及び裏ユニット板５１を表示せずに、機種識別部材１６１のみを表示している。
【００４９】
一方、機種Ａの中枠１２（図２参照）に対して上記の遊技盤１３ａを取り付けようとしても、識別凹部１６２の内面に識別凸部３２の外面が面接触するものの、識別凹部１６３の内面と識別凸部３３の外面との間には空間が生じてしまう。よって、上記の遊技盤１３ａを機種Ａの中枠１２に取り付けることは不可能である。
【００５０】
従って、本実施形態によれば以下のような効果を得ることができる。
【００５１】
（１）本実施形態では、パチンコ機１０の機種として機種Ａ，Ｂが存在するとともに、機種Ａ用の機種識別部材１０１、及び、機種Ｂ用の機種識別部材１６１が準備されている。このようにすれば、機種Ａである場合に機種識別部材１０１を裏ユニット板５１に装着すれば、識別凹部１１１，１１２の形状が中枠１２側の識別凸部３２，３３の形状と一致するため、遊技盤１３の中枠１２への取り付けが可能となる。また、機種Ｂである場合に機種識別部材１６１を裏ユニット板５１に装着すれば、識別凹部１６２，１６３の形状が中枠１２側の識別凸部１５２，１５３の形状と一致するため、遊技盤１３ａの中枠１２への取り付けが可能となる。しかも、機種識別部材１０１，１６１の装着に伴って透明板４１及び裏ユニット板５１を機種ごとに共通のものとすることができるため、透明板４１及び裏ユニット板５１を形成するための金型を機種ごとに準備しなくても済む。よって、特定機種のパチンコ機１０の中枠１２のみに対して遊技盤を取付可能とし、他機種のパチンコ機１０の中枠１２に対しては遊技盤を取付不能とする構造を低コストで得ることができる。
【００５２】
（２）特許文献１には、嵌合凹部を枠部材に形成するとともに、嵌合凹部に嵌合する嵌合凸部を遊技盤の下辺部に形成する技術が開示されている。しかし、嵌合凸部が遊技盤の下辺部から平面方向に突出しているため、製造時において遊技盤を搬送する際などに、嵌合凸部が邪魔になったり破損したりする可能性が高い。一方、本実施形態では、機種識別部材１０１が透明板４１の辺から平面方向に突出しないようになっているため、製造時において遊技盤１３，１３ａを搬送する際に機種識別部材１０１，１６１が邪魔になることはない。ゆえに、製造時における遊技盤１３，１３ａの取扱性が向上する。
【００５３】
（３）本実施形態の機種識別部材１０１，１６１は、一部（装着部１０２）が透明板４１と裏ユニット板５１との間に挟み込まれた状態となっている。このため、単に機種識別部材１０１，１６１を遊技盤１３，１３ａに対してネジ止めする場合に比べて、機種識別部材１０１，１６１の固定強度が向上する。また、機種識別部材１０１，１６１の一部を透明板４１と裏ユニット板５１との間に挟みこむことにより、機種識別部材１０１，１６１を遊技盤１３，１３ａから取り外すことが困難になる。
【００５４】
（４）本実施形態では、係合孔９５に対する係止爪１４１の挿入方向が、ネジ孔１３３に対するネジの挿入方向とは反対方向になっているため、機種識別部材１０１，１６１の固定構造が複雑である。しかも、透明板４１及び裏ユニット板５１は、複数のネジによって互いに固定されている。これにより、工場で一旦機種識別部材１０１，１６１を組み付けてしまうと、使用者が単にボス部１３２のネジ孔１３３に螺着されているネジを取り外しただけでは、機種識別部材１０１，１６１を遊技盤１３，１３ａから取り外すことができない。その結果、遊技盤を他機種のパチンコ機１０の中枠１２に取り付けてしまう可能性がよりいっそう小さくなる。
【００５５】
（５）本実施形態では、中枠１２に取り付けた際に空きスペースとなる部分、即ち、裏ユニット板５１の下辺部の角部に機種識別部材装着凹部９１が形成されているため、機種識別部材装着凹部９１の形成が容易になる。しかも、機種識別部材装着凹部９１に装着される機種識別部材１０１，１６１が遊技盤１３，１３ａの下辺部に位置するようになる。その結果、遊技盤１３，１３ａを中枠１２に取り付ける際に、受け部３１，１５１に対して遊技盤１３，１３ａ全体の自重が加わるため、機種識別部材１０１，１６１と受け部３１，１５１とが確実に係合する。
【００５６】
なお、本発明の実施形態を以下のように変更してもよい。
【００５７】
・上記実施形態では、機種識別部材１０１，１６１に、１つの第１係合部（位置決めピン１２１）が設けられていたが、第１係合部は２つ以上設けられていてもよい。なお、第１係合部の形状や形成位置は、上記実施形態のものに限定される訳ではなく、任意に変更することが可能である。
【００５８】
・上記実施形態では、機種識別部材１０１，１６１に、２つの第２係合部（ボス部１３２及び係止爪１４１）が設けられていたが、第２係合部は、１つのみ設けられていてもよいし、３つ以上設けられていてもよい。なお、第２係合部の形状や形成位置は、上記実施形態のものに限定される訳ではなく、任意に変更することが可能である。
【００５９】
・上記実施形態では、パチンコ機１０の機種として２種類の機種Ａ，Ｂが存在し、機種Ａ，Ｂ用の機種識別部材１０１，１６１が準備されたもので説明を行ったが、パチンコ機の機種（及び機種識別部材の種類）は、３種類以上あってもよい。
【００６０】
次に、特許請求の範囲に記載された技術的思想のほかに、前述した実施形態によって把握される技術的思想を以下に列挙する。
【００６１】
（１）請求項１乃至８のいずれか１項において、前記機種識別部材は、樹脂材料の射出成形によって形成されることを特徴とする遊技機。
【００６２】
（２）請求項１乃至８のいずれか１項において、前記機種識別部材は、前記機種識別部材装着凹部の内側面に面接触する装着部を有することを特徴とする遊技機。
【００６３】
（３）請求項３乃至６のいずれか１項において、前記第１係合部及び前記第２係合部は、前記機種識別部材において互いに離間して配置されていることを特徴とする遊技機。
【図面の簡単な説明】
【００６４】
【図１】本発明におけるパチンコ機を示す概略正面図。
【図２】機種Ａの中枠を示す概略正面図。
【図３】中枠に対して遊技盤を斜めに挿入した状態を示す概略斜視図。
【図４】機種Ａの中枠を示す要部正面図。
【図５】遊技盤を示す正面図。
【図６】図柄表示装置が取り付けられた状態の遊技盤を示す斜視図。
【図７】図柄表示装置が取り付けられていない状態の遊技盤を示す背面図。
【図８】（ａ）は、機種識別部材が取り付けられた状態の遊技盤を示す要部背面図、（ｂ）は、機種識別部材が取り付けられる前の状態の遊技盤を示す要部背面図。
【図９】（ａ）は、図８のＡ−Ａ線断面図、（ｂ）は、透明板、機種識別部材及び裏ユニット板を示す分解断面図。
【図１０】（ａ）は、図８のＢ−Ｂ線断面図、（ｂ）は、透明板、機種識別部材及び裏ユニット板を示す分解断面図。
【図１１】（ａ）は機種識別部材の正面図、（ｂ）は機種識別部材の背面図、（ｃ）は機種識別部材の側面図。
【図１２】機種Ｂの中枠を示す概略正面図。
【図１３】機種Ｂの中枠を示す要部正面図。
【図１４】（ａ）は、機種識別部材が取り付けられた状態の遊技盤を示す要部背面図、（ｂ）は、機種識別部材が取り付けられる前の状態の遊技盤を示す要部背面図。
【図１５】（ａ）は機種識別部材の正面図、（ｂ）は機種識別部材の背面図、（ｃ）は機種識別部材の側面図。
【符号の説明】
【００６５】
１０…遊技機としてのパチンコ機
１２…枠部材としての中枠
１３，１３ａ…遊技盤
３１，１５１…受け部
３２，３３，１５２，１５３…第２識別部としての識別凸部
４１…遊技盤本体としての透明板
４２…遊技領域
４３ａ…レールとしての内レール
４３ｂ…レールとしての外レール
４５…遊技釘
４６…第１被係合部としての位置決め孔
５１…裏ユニット板
９１…機種識別部材装着凹部
９２…第２被係合部としての突出片
９３…筒部
９４…ネジ挿通孔
９５…第２被係合部としての係合孔
１０１，１６１…機種識別部材
１１１，１１２，１６２，１６３…第１識別部としての識別凹部
１２１…第１係合部としての位置決めピン
１３１…肉抜き凹部
１３２…第２係合部としてのボス部
１３３…ネジ孔
１４１…第２係合部としての係止爪
【図１】
0004914401.tif 000002
【図２】
0004914401.tif 000003
【図３】
0004914401.tif 000004
【図４】
0004914401.tif 000005
【図５】
0004914401.tif 000006
【図６】
0004914401.tif 000007
【図７】
0004914401.tif 000008
【図８】
0004914401.tif 000009
【図９】
0004914401.tif 000010
【図１０】
0004914401.tif 000011
【図１１】
0004914401.tif 000012
【図１２】
0004914401.tif 000013
【図１３】
0004914401.tif 000014
【図１４】
0004914401.tif 000015
【図１５】
0004914401.tif 000016